(57)【特許請求の範囲】
【請求項１】
光パスによりネットワークトポロジを仮想的に構成する光ネットワークシステムにおいて、使用されていない余剰パスを貸し出す光パス貸し出し方法であって、
前記光ネットワークシステムの設定制御装置は、演算処理を行う際に用いられる記憶手段としてのメモリと、前記演算処理を行う演算処理装置とを少なくとも備えるコンピュータとして構成され、前記演算処理装置が、前記メモリ上のプログラムを実行することで、情報収集部および計算部を構成し、
前記光パスに対する借用の申込み期間前において、
前記記憶手段には、貸し出し対象の前記光パスごとに、始点ノードと、終点ノードと、貸し出し可能容量と、貸し出しの申込みをした１人以上のユーザのＩＤとが対応づけられている貸し出し料金の計算用データが記憶されており、
前記光パスに対する借用の申込み期間中において、
前記情報収集部は、貸し出し対象の前記光パスに対する申込に関する情報を前記ユーザ端末から受け付けると、その申込に関する情報に含まれるユーザＩＤとその応募数とを前記計算部に通知し、
前記計算部は、前記情報収集部から通知された応募数と、前記申込に関する情報で指定された光パスに対して既に申し込まれている応募数との和を求め、前記貸し出し対象の光パスに対する料金を前記応募数の和で割った料金を、現在の単位料金として計算し、その現在の単位料金と前記通知されたユーザＩＤとを対応づけて前記記憶手段に格納し、
前記光パスに対する借用の申込み期間後において、
前記計算部は、
前記記憶手段に格納されている現在の単位料金と、前記ユーザごとの応募数との積を前記ユーザごとの落札料金として計算するとともに、前記ユーザごとの応募数に比例して割り当てるネットワーク資源量をユーザごとに計算し、
前記割り当てるネットワーク資源量の総和が、前記貸し出し対象の光パスの貸し出し可能容量では不足するときには、前記貸し出し対象の光パスと始点ノードおよび終点ノードの組が共通する１本の光パスの候補、または、複数本の光パスを前記始点ノードから終点ノードまで順に接続することで、前記貸し出し対象の光パスと始点ノードおよび終点ノードの組が共通する光パス群の候補のうちの空き帯域量の多い候補を、前記貸し出し対象の光パスの代替パスとすることを特徴とする
光パス貸し出し方法。
【請求項２】
請求項１に記載の光パス貸し出し方法を、コンピュータである前記設定制御装置に実行させるための光パス貸し出しプログラム。
【請求項３】
光パスによりネットワークトポロジを仮想的に構成する光ネットワークシステムにおいて、使用されていない余剰パスを貸し出す設定制御装置であって、
前記光ネットワークシステムの前記設定制御装置は、演算処理を行う際に用いられる記憶手段としてのメモリと、前記演算処理を行う演算処理装置とを少なくとも備えるコンピュータとして構成され、前記演算処理装置が、前記メモリ上のプログラムを実行することで、情報収集部および計算部を構成し、
前記光パスに対する借用の申込み期間前において、
前記記憶手段には、貸し出し対象の前記光パスごとに、始点ノードと、終点ノードと、貸し出し可能容量と、貸し出しの申込みをした１人以上のユーザのＩＤとが対応づけられている貸し出し料金の計算用データが記憶されており、
前記光パスに対する借用の申込み期間中において、
前記情報収集部は、貸し出し対象の前記光パスに対する申込に関する情報を前記ユーザ端末から受け付けると、その申込に関する情報に含まれるユーザＩＤとその応募数とを前記計算部に通知し、
前記計算部は、前記情報収集部から通知された応募数と、前記申込に関する情報で指定された光パスに対して既に申し込まれている応募数との和を求め、前記貸し出し対象の光パスに対する料金を前記応募数の和で割った料金を、現在の単位料金として計算し、その現在の単位料金と前記通知されたユーザＩＤとを対応づけて前記記憶手段に格納し、
前記光パスに対する借用の申込み期間後において、
前記計算部は、
前記記憶手段に格納されている現在の単位料金と、前記ユーザごとの応募数との積を前記ユーザごとの落札料金として計算するとともに、前記ユーザごとの応募数に比例して割り当てるネットワーク資源量をユーザごとに計算し、
前記割り当てるネットワーク資源量の総和が、前記貸し出し対象の光パスの貸し出し可能容量では不足するときには、前記貸し出し対象の光パスと始点ノードおよび終点ノードの組が共通する１本の光パスの候補、または、複数本の光パスを前記始点ノードから終点ノードまで順に接続することで、前記貸し出し対象の光パスと始点ノードおよび終点ノードの組が共通する光パス群の候補のうちの空き帯域量の多い候補を、前記貸し出し対象の光パスの代替パスとすることを特徴とする
設定制御装置。
【発明の詳細な説明】
【背景技術】
【０００１】
近年、通信ネットワークの光化が進み、光ネットワークにより様々なレイヤを統合的に制御するＧＭＰＬＳ（Generalized multi-protocol Label Switching）が提案されており、ＧＭＰＬＳ網において大容量のＩＰトラヒックを経済的に収容する技術として例えば、ＶＮＴ（Virtual Network Topology）構成がある（非特許文献１）。ＶＮＴは、物理網の上に仮想的な網として複数の光パスで形成するトポロジで、ＩＰレイヤから見ると光パスはリンクとして扱われる。
【０００２】
ＶＮＴ構成は、光パスの設定および解放によりＶＮＴ網のトポロジを変更する処理を指す。ＶＮＴ構成は、物理的に回線の配置を変更する従来のネットワークに比べ、トポロジの変更コストおよび変更時間が少なくて済む。そして、トラヒック需要の変動に応じて臨機応変にＶＮＴ構成をすることで、ネットワークの利用効率が高い効率的なリソース（物理網）の活用ができる。
【０００３】
ところで、通信帯域をユーザが賃借する場合に、貸し出し料金の決定が重要な課題となる。
【０００４】
特許文献１に記載の技術は、オークションまたは入札により貸し出し料金を決定する手法である。この手法は、ユーザの賃借希望に対して複数のネットワーク事業者がオークションを行って、貸し出すネットワーク事業者を決める方法であり、ネットワーク事業者が１つの場合は、貸し出し料金が高くなる可能性がある。また、複数ユーザの入札により貸し出し料金が決定されるため、他のユーザが申請した貸し出し料金が分からず、ユーザは高額な貸し出し料金を申請する必要がある。また、貸し出し料金が、ネットワーク事業者の希望料金になるとは限らない。
【特許文献１】特開２００２−２３０４４４号公報
【非特許文献１】宮村崇、林理恵ほか著、“ＰＣＥによるマルチレイヤトラヒックエンジニアリング機能の実装と評価”、電子情報通信学会、信学技報、PN2005-33(2005-08),pp.75-80
【発明の開示】
【発明が解決しようとする課題】
【０００５】
ＶＮＴ構成を行うと、余剰パスが発生する。例えば、昼間にパスを張っていた対地間が夜間にはそのパスが不要になる、または、必要なパス本数が少なくなり、光パスが解放される場合があり、余ったルータポートやファイバなどの設備が無駄になってしまう。そこで、ＶＮＴ構成により発生した余剰パスをユーザに貸し出すことにより、ネットワーク事業者は、利益を確保することができる。
【０００６】
従来の技術は、ＶＮＴ構成により発生した余剰パスの貸し出し料金について、需給のバランスがとれた適正な価格を提供してこなかった。そのため、ネットワーク事業者は、貸し出し料金を高額にすると借り手がつかず、また貸し出し料金を安くすると設備料の元を取り返せない。
【０００７】
例えば、ユーザが専用線としてネットワーク資源を賃貸する場合、輻輳による品質低下などの問題を避けるため専用線の帯域をピークトラヒックに合わせる必要があり、貸し出し料金が高額となる。そのため、専用線ほどの品質を必要とせずに、低額で借りたいユーザは、ネットワーク資源を借りることができなかった。
【０００８】
ＶＮＴ構成によって発生する余剰パスの貸し出し料金が、需給バランスに沿った適正な価格となれば、貸し出しが活性化されて貸し出し件数が増加し、ネットワーク事業者およびユーザ双方にとって、利益となる。
【０００９】
そこで、本発明は、ＶＮＴ構成によって発生する余剰パスについて、複数のユーザへの貸し出しを活性化することを、主な目的とする。
【課題を解決するための手段】
【００１０】
前記課題を解決するために、本発明は、光パスによりネットワークトポロジを仮想的に構成する光ネットワークシステムにおいて、使用されていない余剰パスを貸し出す光パス貸し出し方法であって、前記光ネットワークシステムの前記設定制御装置は、演算処理を行う際に用いられる記憶手段としてのメモリと、前記演算処理を行う演算処理装置とを少なくとも備えるコンピュータとして構成され、前記演算処理装置が、前記メモリ上のプログラムを実行することで、情報収集部および計算部を構成し、前記光パスに対する借用の申込み期間前において、前記記憶手段には、貸し出し対象の前記光パスごとに、始点ノードと、終点ノードと、貸し出し可能容量と、貸し出しの申込みをした１人以上のユーザのＩＤとが対応づけられている貸し出し料金の計算用データが記憶されており、前記光パスに対する借用の申込み期間中において、前記情報収集部は、貸し出し対象の前記光パスに対する申込に関する情報を前記ユーザ端末から受け付けると、その申込に関する情報に含まれるユーザＩＤとその応募数とを前記計算部に通知し、前記計算部は、前記情報収集部から通知された応募数と、前記申込に関する情報で指定された光パスに対して既に申し込まれている応募数との和を求め、前記貸し出し対象の光パスに対する料金を前記応募数の和で割った料金を、現在の単位料金として計算し、その現在の単位料金と前記通知されたユーザＩＤとを対応づけて前記記憶手段に格納し、前記光パスに対する借用の申込み期間後において、前記計算部は、前記記憶手段に格納されている現在の単位料金と、前記ユーザごとの応募数との積を前記ユーザごとの落札料金として計算するとともに、前記ユーザごとの応募数に比例して割り当てるネットワーク資源量をユーザごとに計算し、前記割り当てるネットワーク資源量の総和が、前記貸し出し対象の光パスの貸し出し可能容量では不足するときには、前記貸し出し対象の光パスと始点ノードおよび終点ノードの組が共通する１本の光パスの候補、または、複数本の光パスを前記始点ノードから終点ノードまで順に接続することで、前記貸し出し対象の光パスと始点ノードおよび終点ノードの組が共通する光パス群の候補のうちの空き帯域量の多い候補を、前記貸し出し対象の光パスの代替パスとすることを特徴とする。
さらに、本発明は、前記の光パス貸し出し方法を、コンピュータである前記設定制御装置に実行させるための光パス貸し出しプログラムである。そして、本発明は、前記光ネットワークシステムに用いられる設定制御装置である。
【００１１】
これにより、申し込んだユーザ全員が、応募数に応じて貸し出し料金を分担することにより適正な価格で余剰パスを借りることができ、ＶＮＴ構成によって発生する余剰パスの貸し出しが活性化される。
さらに、障害発生などで申し込んだ余剰パスが使えなくなったときでも、通信を続行することができる。
【発明の効果】
【００２４】
本発明により、ユーザは適正な価格で余剰パスを借りることができ、ＶＮＴ構成によって発生する余剰パスの貸し出しが活性化される。
【００２５】
また、本発明により、通信ネットワークの設備量（リソース）を利用者の申し込み量の総計にもとづいて構築する必要がなく、利用者の使用しない時間帯に別の利用者が通信ネットワークのリソース（光パス帯域）を使用することが可能となり、効率的な設備運用が可能になる。
【００２６】
ユーザは、借用したい光パスの貸し出し料金を確認しながら借用するかどうかを決めることができ、必要な都度、適切な料金で光パスを借用できる。
【００２７】
通信事業者は、光パスの賃貸を公募することで、活動パターンの異なる複数のユーザが時間を分けて同じ光パスを共有することが可能になり、安価に通信帯域を提供できる。ＶＮＴ構成を行うことで、時間帯によっては余って無駄となってしまう網設備を有効活用できるため、安価の料金であっても貸し出し料金の収入が増加する。
【発明を実施するための最良の形態】
【００２８】
以下、本発明の一実施形態を説明する。
【００２９】
図１は、本実施形態を説明するためのシステム構成の一例である。ネットワークシステムは、光ネットワーク１、および、設定制御装置２を含めて構成される。光ネットワーク１は、エッジルータ４１〜４４、および、光クロスコネクト３１〜３３を接続することにより構成され、エッジルータ４１〜４４にはユーザ端末２１〜２５が接続されている。設定制御装置２は、光ネットワーク１内の各装置に、光パスを設定するための制御メッセージを送信する。なお、ノードは、エッジルータ４１〜４４、および、光クロスコネクト３１〜３３を総称したものである。
【００３０】
なお、ネットワークシステムの各装置は、演算処理を行う際に用いられる記憶手段としてのメモリと、前記演算処理を行う演算処理装置とを少なくとも備えるコンピュータとして構成される。なお、メモリは、ＲＡＭ（Random Access Memory）などにより構成される。演算処理は、ＣＰＵ（Central Processing Unit）によって構成される演算処理装置が、メモリ上のプログラムを実行することで、実現される。本実施形態は、各装置に加え、各装置に演算処理を実行させるためのプログラム、および、そのプログラムを記録したコンピュータ読み取り可能な記録媒体を含む。
【００３１】
図２は、光ネットワーク１に構成した光パス構成の一例である。光パス５１〜５３は、それぞれエッジルータ４１〜４３間に設定される。例えば、光パス５１は、エッジルータ４１とエッジルータ４２との間の通信に使用される。
【００３２】
図３は、光パスの貸し出しを募集するためにインターネットに公開するＷＥＢ画面６１の一例である。ＷＥＢ画面６１は、募集要項画面６２、および、ユーザ端末２１〜２５が応募するための応募画面６３を含む。詳細は、フローチャートを参照した動作の説明において、後記する。
【００３３】
図４は、設定制御装置２の構成図である。
【００３４】
設定制御装置２は、情報収集部１１、計算部１３、データベース１２、情報加工部１４、回線設定指示部１５、および、外部装置との制御インターフェースを含めて構成される。以下、設定制御装置２の各構成要素について具体的に説明する。
【００３５】
情報収集部１１は、ネットワーク内の通信装置から光パスの容量や空帯域、ユーザからの借用リクエストなどの情報を収集する。通信装置からの情報収集の方法としては、ＮｅｔＦｌｏｗ、ｓＦｌｏｗといった市販の計測システム、ＳＮＭＰ（Simple Network Management Protocol）などのプロトコルによる方法がある。ＮｅｔＦｌｏｗおよびｓＦｌｏｗは、文献「財団法人マルチメディア振興センター、“ブロードバンドの普及に伴うインターネット・トラフィックに関する調査報告書”、[online]、［平成１８年２月２４日検索］、インターネット＜ＵＲＬ：http://www.fmmc.or.jp/fileserv/31/1078460548_h029.pdf＞」に説明されている。ＮｅｔＦｌｏｗは、Ｃｉｓｃｏ社の計測技術である。ｓＦｌｏｗは、ＩｎＭｏｎ社の計測技術である（ＲＦＣ３１７６を参照）。また、特開２００５−７９６６８号公報に記載されるように、あらかじめ定められた期間の帯域の使用率に基づいて次の期間に割り当てる帯域を決定してもよい。
【００３６】
計算部１３は、情報収集部１１から渡された情報とデータベース１２が持つ光パス情報とを用いてデータベース１２が保持するデータテーブルの情報を最新な値に計算する。
【００３７】
情報加工部１４は、データベース１２が保持する情報をユーザがＷＥＢ画面６１（図３参照）の形で確認できるように情報を加工する。
【００３８】
回線設定指示部１５は、募集した光パスの貸し出し開始時刻に間に合うように、申し込みがあったユーザ端末２１〜２５間の通信トラヒックを該当光パスに多重するよう、各エッジルータに指示をする。
【００３９】
外部装置との制御インターフェースは、外部装置と情報を送受信するための出入り口の役割を果たす。
【００４０】
図５は、光パスの容量や空帯域などの情報を保持するデータベース１２が格納するデータテーブルの構成図である。
【００４１】
データテーブルは、光パスが設定されている始終点ノード、光パスルート、パス容量、使用容量、貸出可能容量、貸出帯域量、申し込み締切時間、貸し出し開始時刻、貸し出し終了時刻、申し込み容量（図３の応募数に対応）、申し込み者ＩＤ、単位料金を含む。単位料金は、応募数が１のときの貸し出し料金である。よって、各ユーザは、単位料金と応募数との乗算結果の料金を貸し出し料金とする。また、データテーブルは、ネットワークのトポロジ情報なども保持する（図示省略）。
【００４２】
例えば、エッジルータ４１からエッジルータ４２までのパスは、３人の申し込み者（ＡＢＣ０１２，ＤＥＦ３４５，ＧＨＩ６７８）によって応募されている。仮に３人の申し込み者の応募数が同じであったとき（換言すると、３人が同量の帯域を申し込んだとき）、貸し出し料金￥１２０，０００を３［人］で割って１人あたり￥４０，０００ずつ分担する。そして、申し込み締切時間までにもう１人の申し込み者があったときには、貸し出し料金￥１２０，０００を４［人］で割って１人あたり￥３０，０００ずつ分担する。申し込み締切時間になると、申し込み者全員が貸し出し対象ユーザとなる。
【００４３】
図６および図７は、光パスを貸し出す場合の処理を説明するフローチャートである。光パス５１内の通信帯域に空きが生じ、ユーザに貸し出し可能になったとする。
【００４４】
図６は、設定制御装置２およびユーザ端末２１〜２５の動作フローを示すフローチャートである。
【００４５】
設定制御装置２は、ＷＥＢ画面６１内の募集要項画面６２に貸し出し募集内容を掲示してユーザ端末２１〜２５からの申し込みを待つことで、募集を開始する（Ｓ１）。貸し出し対象の光パスは、例えば、設定制御装置２が管理する光パス群の使用状況の調査結果をもとに、容量に余裕がある光パスとする。募集要項画面６２には、光パスの「区間」、貸し出しの「最小単位」、「貸し出し開始時刻」、「貸し出し終了時刻」、「募集数」、「応募が予定数未満の場合の処置」、「現在の応募数」、応募数に対応した「単位料金」（図５参照）、「締め切り時刻」を表示する。なお、図３の例では、「応募数が２０未満の場合は、別途、相談」および「募集数が１６０」と表示されている。これにより、貸し出し対象の光パスは、応募数の総和が２０〜１６０の範囲であれば、貸し出される。
【００４６】
ユーザ端末２１は、光パス内の帯域を借用する場合、貸し出し募集に対して申込を実行する（Ｓ２）。具体的には、設定制御装置２ヘアクセスしてＷＥＢ画面６１を取得する。ＷＥＢ画面６１には、現在貸し出し募集中の光パスごとに募集要項を記した募集要項画面６２があり、貸し出し対象とする対地間の光パスを探す。いま募集要項画面６２が目的とする対地間の光パス募集画面であれば、「貸し出し開始時刻」、「応募数」、「現在の単位料金」などを確認して、応募画面６３の「応募数」欄に借用する応募数を記入して、「申し込み」ボタンを押して借用を申し込む。
【００４７】
借用する帯域量は、応募画面６３において、最小単位×Ｎ倍で示されるので、ユーザは必要な分だけの帯域量を指定して申し込むことができ、効率よく光パスを利用できる。設定制御装置２は応募があるごとに募集要項画面６２の「現在の応募数」、「現在の単位料金」を改定して募集要項画面６２に掲載する。
【００４８】
設定制御装置２は、Ｓ２の申込を「現在の単位料金」に反映する（Ｓ３）。「現在の単位料金」は、光パスの料金を応募数で割った料金とするため、「応募数」が増加する毎に「現在の単位料金」は安くなる。募集要項画面６２の「現在の応募数」、「現在の単位料金」を改定して募集要項画面６２に掲載する。
【００４９】
ユーザ端末２２は、設定制御装置２ヘアクセスして、Ｓ３で反映された募集要項画面６２を確認し、「現在の単位料金」が想定より安ければ応募画面６３により「応募数」を指定して借用を申し込む（Ｓ４）。設定制御装置２は、Ｓ４の申込を「現在の単位料金」に反映する（Ｓ５）。
【００５０】
そして、募集締め切り時刻または応募数が予定数に達すると、Ｓ１の募集を締め切る。設定制御装置２は、申し込み数が応募数以上の場合は申込を確定し（Ｓ６）、そうでないときには、申込を未確定とし（Ｓ７）、そのまま募集要項画面６２を残しておき、追加申し込みの受付を可能とする（Ｓ１に戻る）。つまり、Ｓ７では、設定制御装置２は、申込の締め切り時刻を経過した時点で、既に申し込まれた余剰パスの応募数が、所定の最低応募数に満たないときには、余剰パスの貸し出しをせずに、現在の単位料金を下げて貸し出し募集を延長する。
【００５１】
設定制御装置２は、Ｓ６の後、申込を決定する（Ｓ８）。なお、設定制御装置２は、貸し出し対象ユーザへの余剰パスの貸し出しを開始した後に、情報加工部１４より余剰パスの応募数の入力を受け付けると、締め切り時刻において計算部１３が計算した単位料金をもとに、貸し出し終了時刻までの残時間相当の料金（時間割りの料金）で貸し出ししてもよい。
【００５２】
そして、募集した光パスの貸し出し開始時刻に間に合うように、ユーザ端末から申し込みがあったユーザの通信装置間の通信トラヒックを貸し出し対象パス上で通信するよう光ネットワーク１の各エッジルータに指示する旨のパス設定（Ｓ９，Ｓ１０）を行う。なお、複数のユーザ端末２１，２２間で光パスを共用するため、光パスは多重化される。
【００５３】
ユーザ端末２１，２２は、貸し出し開始時刻になると、多重化され割り当てられた光パスが設定され、ユーザ端末２１，２２の通信を行うことができる。
【００５４】
図７は、設定制御装置２における回線貸し出し方法を示すフローチャートである。
【００５５】
情報収集部１１は、データベース１２のデータテーブルを参照して、空き帯域などから貸し出せる光パスを検索する（Ｓ２１）。情報収集部１１は、定期的にネットワーク内の通信装置から光パスの容量や空帯域情報を収集して、データベース１２を更新する。また、計算部１３は、データテーブルに格納される光パスの最新の利用帯域や空き帯域の帯域情報などから光パスルートの最適解を計算し、その情報をデータテーブル内で随時書き換えてもよい。
【００５６】
情報加工部１４は、貸し出せる光パスの情報をデータベース１２から取得し、ＷＥＢ画面６１にその情報を表示させることで貸し出し募集を開始する（Ｓ２２）。光パスごとに申し込み締め切り時刻を決め、その申し込み締め切りまで受け付けをする。
【００５７】
情報収集部１１は、ＷＥＢ画面６１を介して貸し出し募集をしていた光パスに対する借用の申込を受け付ける（Ｓ２３）。ユーザは、貸し出し対象の光パスを利用する度合い（応募数）を指定して申し込みをする。
【００５８】
情報収集部１１は、ユーザからの申込があるたびに、申込に関する情報（ユーザＩＤ、入札価格など）をデータベース１２に登録し、計算部１３にも申込に関する情報を通知する（Ｓ２４）。
【００５９】
計算部１３は、すでに受け付けた申込履歴と今回の申込とをもとに、貸し出し募集内容を更新する（Ｓ２５）。ユーザの貸し出し料金は、既に申し込んだユーザと今回申し込んだユーザとで分担するように、例えば、所定料金（光パスの貸し出し収入）を申し込まれた応募数で除算することにより、計算される。
【００６０】
情報加工部１４は、データベース１２において書き換えた貸し出し募集内容を、ユーザが見るＷＥＢ画面６１へ情報を反映させるために加工を行い、加工された最新の情報をＷｅｂ画面６１に表示する（Ｓ２６）。ユーザは、反映された最新の情報を閲覧することができる。
【００６１】
計算部１３は、分岐条件「申込の締め切り時刻になる」を満たすか否か判定し（Ｓ２７）、満たす場合（Ｓ２７，Ｙｅｓ）はＳ２８を実行し、満たさない場合（Ｓ２７，Ｎｏ）はＳ２３を実行する。なお、Ｓ２７，Ｙｅｓなら、情報加工部１４は、貸し出し募集を停止するために、受付停止の情報をＷＥＢ画面６１に表示し、Ｓ２８に進む。
【００６２】
計算部１３は、データベース１２に登録された申込から、光パスの貸し出し対象ユーザを決定する（Ｓ２８）。申し込んだ全てのユーザを光パスの貸し出し対象ユーザとし、応募数に比例して使用させる光パスの帯域量を決定する。そして、貸し出し対象の光パスを貸し出し対象ユーザに貸し出すためにデータベース１２が保持するデータテーブルの情報を回線指定指示部に通知する。通知する情報は、貸し出し対象ユーザの通信装置間の通信トラヒックを貸し出し対象の光パス上で通信するために必要な情報である。
【００６３】
回線設定指示部１５は、貸し出し開始時刻に間に合うように、光パスを貸し出しようにエッジルータに指示を出す（Ｓ２９）。貸し出し対象ユーザのユーザ端末２１〜２５間の通信トラヒックを貸し出し対象の光パス上で通信するよう各エッジルータ４１〜４３に指示をする。貸し出し対象ユーザが、複数のユーザなので、光パスをユーザごとに多重化する。
【００６４】
図８は、始点終点が同じである貸し出し対象パスの候補が複数存在するときの構成図である。図２に示した光パス構成に、新たに光パス５４が追加されたとする。また、ユーザ端末２２からエッジルータ４１とエッジルータ４２間の光パス５１の容量を超える帯域の使用申し込みがあったとする。
【００６５】
計算部１３は、中継ノード数が少ない候補、および、空き帯域量の多い候補のうち、少なくとも１つの基準を満たす候補を貸し出し対象パスとして採用する。計算部１３は、応募数分割り当てるネットワーク資源（帯域など）を計算した結果、割り当てるネットワーク資源の総和が、光パス５１のネットワーク資源では足りないと判断する。そのとき、計算部１３は、データテーブルの他の情報やデータベース１２が保持するネットワークトポロジ情報を参照して、光パス５１と始点終点を共有する別ルートの光パスの候補があるか否かを各光パスの空き帯域などから計算する。
【００６６】
例えば、計算部１３は、光パス５２および光パス５３の組、および光パス５４について、光パス５１とは物理的に違う迂回ルートであるが、ユーザは光パス５１と同様の光パスとして使用できる旨を取得する。
【００６７】
まず、光パス５２および光パス５３の組に容量的に余裕がある場合は、申込のあったユーザ端末２２の通信トラヒックを、光パス５２および光パス５３の組に割り当てる。そして、計算部１３は、割り当て結果をデータテーブルに登録する。回線設定指示部１５は、光パス５２および光パス５３の組を用いてエッジルータ４３経由で接続し、ユーザ端末２２の通信トラヒックを通信するよう、エッジルータ４１およびエッジルータ４２に指示する。
【００６８】
一方、光パス５２および光パス５３の組に容量的に余裕がないときには、計算部１３は新たに光パスを張れる候補があるかどうかをデータベース１２が保持するネットワークトポロジ情報や光パスデータテーブルを参照して計算を行う。その結果、光パス５４が、新たに光パスを張れる候補として取得されたとする。
【００６９】
回線設定指示部１５は、エッジルータ４１およびエッジルータ４２の間に、光クロスコネクト３１→光クロスコネクト３３→光クロスコネクト３２のルートで新たな光パス５４を設定するよう、光パス５４の経路上の各装置に指示する。光パス５４は、追加要求のあったユーザ端末のトラヒックを、通信する。
【００７０】
以上説明した本発明は、以下のようにその趣旨を逸脱しない範囲で広く変形実施することができる。
【００７１】
例えば、設定制御装置２が実行するプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。
【００７２】
また、前記プログラムは、前記した処理の一部を実現するためのものであってもよい。さらに、前記した処理を別の装置に既に記録されているプログラムとの組み合わせで実現できるもの、いわゆる差分ファイル（差分プログラム）であってもよい。
【００７３】
本実施形態は、光ネットワーク１に構成した光パス内の通信帯域をユーザに賃貸する産業に利用できる。
【図面の簡単な説明】
【００７４】
【図１】本発明の一実施形態に関するネットワークシステムを示す構成図である。
【図２】本発明の一実施形態に関するネットワークシステムに設定された光パスを示す構成図である。
【図３】本発明の一実施形態に関する貸し出し対象パスの共有機会を提供するためのＷＥＢ画面を示す画面図である。
【図４】本発明の一実施形態に関する設定制御装置を示す構成図である。
【図５】本発明の一実施形態に関する設定制御装置のデータベースが保持する光パスデータテーブルを示す構成図である。
【図６】本発明の一実施形態に関する設定制御装置およびユーザ端末の動作フローを示すフローチャートである。
【図７】本発明の一実施形態に関する設定制御装置における回線貸し出し方法を示すフローチャートである。
【図８】本発明の一実施形態に関する始点終点が同じである貸し出し対象パスの候補が複数存在するときの構成図である。
【符号の説明】
【００７５】
１      光ネットワーク
２      設定制御装置
１１    情報収集部
１２    データベース
１３    計算部
１４    情報加工部
１５    回線設定指示部
【図１】
0004669410.tif 000002
【図２】
0004669410.tif 000003
【図３】
0004669410.tif 000004
【図４】
0004669410.tif 000005
【図５】
0004669410.tif 000006
【図６】
0004669410.tif 000007
【図７】
0004669410.tif 000008
【図８】
0004669410.tif 000009